(57)【要約】【課題】  断面Ｉ字状に形成されたＩ字状梁材に強固に取付可能であり、且つ、取付作業性の高い吊り具を提供すること。【解決手段】  ウェブとフランジとから形成されたＩ字状梁材に野縁及び天井板を吊支できる建築用の吊り具であって、可撓性を有する接続片と、接続片により接続された一対の挟み片とを備え、一対の挟み片は、接続片よりも上側の先端にフランジを上下方向に挟持することができる挟持部と、接続片よりも下側に野縁を固定することができる固定部とを有しており、接続片を撓めることにより、接続片を基点として、一対の挟み片の挟持部間の隙間を自在に拡げたり狭めたりすることができ、隙間を拡げた状態で挟持部内に収納したフランジを、隙間を狭めることで挟持することができ、フランジを挟持した状態で固定部を野縁に固定することで挟持部によるＩ字状梁材のフランジへの挟持を堅持することができる吊り具。【選択図】    図１
2010163845.tif 000002
【特許請求の範囲】
【請求項１】
建物の天井部分に架設され、ウェブとフランジとから断面Ｉ字状に形成されたＩ字状梁材に野縁及び天井板を吊支することができる建築用の吊り具であって、
可撓性を有する接続片と、該接続片により接続された一対の挟み片とを備え、
前記一対の挟み片は、前記接続片よりも上側の先端に前記Ｉ字状梁材の前記フランジを上下方向に挟持することができる挟持部と、前記接続片よりも下側に前記野縁を固定することができる固定部とを有しており、
前記接続片を撓めることにより、前記接続片を基点として、前記一対の挟み片の前記挟持部間の隙間を自在に拡げたり狭めたりすることができ、
前記隙間を拡げた状態で前記挟持部内に収納した前記Ｉ字状梁材の前記フランジを、前記隙間を狭めることで挟持することができ、
前記Ｉ字状梁材の前記フランジを挟持した状態で前記固定部を前記野縁に固定することで前記挟持部による前記Ｉ字状梁材の前記フランジへの挟持を堅持することができることを特徴とする吊り具。
【請求項２】
前記挟持部の内壁面には防振弾性部材が設けられており、該防振弾性部材を介して前記Ｉ字状梁材の前記フランジを狭持することが可能なことを特徴とする請求項１に記載の吊り具。
【請求項３】
前記固定部は、前記野縁を前記野縁の両側面側から挟みこんで固定することができるように、一方の固定部の面と他方の固定部の面とが対向していることを特徴とする請求項１又は２に記載の吊り具。
【請求項４】
前記固定部は、前記野縁を前記野縁の一方側の側面に当接して固定することができるように、一方の固定部の面と他方の固定部の面とが同一平面上に並設されていることを特徴とする請求項１〜３のいずれか１に記載の吊り具。
【発明の詳細な説明】
【技術分野】
【０００１】
この発明は、建物の天井部分に架設される梁材に天井材を吊支することが可能な建築用の吊り具に関する。
【背景技術】
【０００２】
従来より、木造住宅の室内に天井板を取り付ける施工作業は、梁材に吊り具を固定し、この吊り具に野縁を固定し、この野縁に天井板を貼り付けて行われている。従来、梁材は、一枚の板からなるものが用いられ、梁材に天井板を吊支する吊り具は、上固定部を梁材の側面にネジ止めにより固定されるとともに、下固定部を野縁の側面にネジ止めすることにより固定されて用いられていた（例えば、特許文献１参照）。
【０００３】
近年、木材資源の有効活用の観点から、木質Ｉ型複合梁という断面Ｉ字状に加工された梁材が用いられるようになってきている。
図８は、Ｉ字状梁材を模式的に示す斜視図である。
図８に示すように、Ｉ字状梁材１２０は、木片を樹脂で固めた薄い板状のウェブ１２２と、ベニアを重ねて圧着成形した積層合板からなるフランジ１２１とから構成されており、収縮、割れ、ねじれ等の経年変化が生じにくい特性を有している。このようなＩ字状梁材１２０を用いる場合、特許文献１のような吊り具では、ウェブ１２２が薄い板状であるため、その側面からネジ止めしても十分な取付強度が得られず、また、フランジ１２１の部分にネジ止めすると、梁の下端と野縁との間に大きな隙間が生じ、火災時に天井を火が走りやすくなり、当該隙間を１０ｍｍ以下とする建築基準を満たすことができない。さらに、フランジ１２１は、ベニアを圧着させたものであるため、圧着面に対して水平方向にネジが取り付けられ、このネジに下方向の力が加えられると、簡単に剥がれてしまうといった問題があった。
【０００４】
そこで、従来、Ｉ字状梁材に取付可能な吊り具が提案されている（例えば、特許文献２参照）。
図９は、従来の吊り具の使用状態を模式的に示す縦断面図である。
図９に示すように、吊り具１００は、フランジ１２１の一方側（図９中、左側）を上固定部１０１で上下に挟み込むことにより、Ｉ字状梁材１２０に固定されている。また、吊り具１００の下固定部１０２には、野縁１２３が固定され、野縁１２３に天井板１２４が取り付けられている。
【先行技術文献】
【特許文献】
【０００５】
【特許文献１】登録実用新案第３０９７６６４号公報
【特許文献２】特開２００７−２４７２５７号公報
【発明の概要】
【発明が解決しようとする課題】
【０００６】
しかしながら、図９に示した吊り具１００では、薄いウェブ１２２にネジ止めするため、取付強度が低く、吊り具１００がＩ字状梁材１２０から脱落する危険性があるといった問題があった。また、Ｉ字状梁材１２０との固定、及び、野縁１２３との固定の両方をネジ止めにより行う構成となっているため、作業し難いといった問題があった。
【０００７】
本発明は、上述した課題に鑑みてなされたものであり、その目的は、断面Ｉ字状に形成されたＩ字状梁材に強固に取付可能であり、且つ、取付作業性の高い吊り具を提供することにある。
【課題を解決するための手段】
【０００８】
以上のような目的を達成するために、本発明は、以下のようなものを提供する。
（１）  建物の天井部分に架設され、ウェブとフランジとから断面Ｉ字状に形成されたＩ字状梁材に野縁及び天井板を吊支することができる建築用の吊り具であって、
可撓性を有する接続片と、該接続片により接続された一対の挟み片とを備え、
上記一対の挟み片は、上記接続片よりも上側の先端に上記Ｉ字状梁材の上記フランジを上下方向に挟持することができる挟持部と、上記接続片よりも下側に上記野縁を固定することができる固定部とを有しており、
上記接続片を撓めることにより、上記接続片を基点として、上記一対の挟み片の上記挟持部間の隙間を自在に拡げたり狭めたりすることができ、
上記隙間を拡げた状態で上記挟持部内に収納した上記Ｉ字状梁材の上記フランジを、上記隙間を狭めることで挟持することができ、
上記Ｉ字状梁材の上記フランジを挟持した状態で上記固定部を上記野縁に固定することで上記挟持部による上記Ｉ字状梁材の上記フランジへの挟持を堅持することができることを特徴とする吊り具。
【０００９】
Ｉ字状梁材のフランジは、ベニアを重ねて圧着成形したものであるため、圧着面に対して水平方向にネジが取り付けられると、取り付けられた点を起点として圧着したベニアが剥がれ易くなることとなる。また、Ｉ字状梁材のウェブは、通常、厚さが１ｃｍ程度と薄いため、ウェブに強固にネジ止めを行うことは困難である。そのため、Ｉ字状梁材に吊り具を固定する際には、ネジ止めを行わない方がよい。
（１）の発明によれば、可撓性を有する接続片と、該接続片により接続された一対の挟み片とを備えており、一対の挟み片は、接続片よりも上側の先端にＩ字状梁材のフランジを上下方向に挟持することができる挟持部と、接続片よりも下側に野縁を固定することができる固定部とを有しており、接続片を撓めることにより、接続片を基点として、一対の挟み片の挟持部間の隙間を自在に拡げたり狭めたりすることができ、上記隙間を拡げた状態で挟持部内に収納したＩ字状梁材のフランジを、隙間を狭めることで挟持することができ、Ｉ字状梁材のフランジを挟持した状態で固定部を野縁に固定することで挟持部によるＩ字状梁材のフランジへの挟持を堅持することができる。
Ｉ字状梁材のフランジを挟持部により挟持し、その状態で固定部を野縁に固定すると、フランジの挟持が堅持されることとなるため、薄いウェブにネジ止めを行ったり、水平方向に強度の弱いフランジにネジ止めを行わなくてもＩ字状梁材に強固に取り付けることが可能となる。
【００１０】
また、Ｉ字状梁材のフランジを挟持部により挟持し、その状態で固定部に野縁を固定すると、フランジの挟持が堅持されることとなるため、野縁の固定とフランジの堅持とが同時に実行されることとなり、作業性を向上させることが可能となる。加えて、I字状梁材に天井材（野縁と天井板）を、可撓性を有する接続片を介して吊支できるので、I字状梁材と天井材の野縁との間に生じる隙間を狭くでき、当該隙間を１０ｍｍ以下にでき、もし火災が発生したときであっても炎が天井を走って延焼が拡大するのを軽減することができる。
【００１１】
さらに、本発明は、以下のようなものを提供する。
（２）  上記（１）の吊り具であって、
上記挟持部の内壁面には防振弾性部材が設けられており、該防振弾性部材を介して上記Ｉ字状梁材の上記フランジを狭持することが可能なことを特徴とする。
【００１２】
（２）の発明によれば、挟持部の内壁面には防振弾性部材が設けられており、該防振弾性部材を介してＩ字状梁材のフランジを狭持するため、上の階の床面（Ｉ字状梁材よりも上部）からの振動を下の階の天井に伝播することを抑制することができる。
【００１３】
さらに、本発明は、以下のようなものを提供する。
（３）  上記（１）又は（２）の吊り具であって、
上記固定部は、上記野縁を上記野縁の両側面側から挟みこんで固定することができるように、一方の固定部の面と他方の固定部の面とが対向していることを特徴とする。
【００１４】
（３）の発明によれば、野縁を、野縁の両側面、すなわち、２つの面で挟みこんで固定することができるため、野縁をより強固に固定することが可能となる。
【００１５】
さらに、本発明は、以下のようなものを提供する。
（４）  上記（１）〜（３）のいずれかの吊り具であって、
上記固定部は、上記野縁の一方側の側面に当接して固定することができるように、一方の固定部の面と他方の固定部の面とが同一平面上に並設されていることを特徴とする。
【００１６】
（４）の発明によれば、野縁を、野縁の一方側の側面に当接して固定することができる。すなわち、一方側の側面における２箇所において固定することができるため、野縁をより強固に固定することが可能となる。
【発明の効果】
【００１７】
本発明によれば、断面Ｉ字状に形成されたＩ字状梁材に強固に取付可能であり、且つ、取付作業性の高い吊り具を提供することができる。
【図面の簡単な説明】
【００１８】
【図１】（ａ）は、第１実施形態に係る吊り具を模式的に示す平面図であり、（ｂ）は、その正面図であり、（ｃ）は、その右側面図である。
【図２】（ａ）、（ｂ）は、図１に示した吊り具の設置方法を説明するための図である。
【図３】（ａ）、（ｂ）は、図１に示した吊り具の設置方法を説明するための図である。
【図４】（ａ）は、第２実施形態に係る吊り具を模式的に示す平面図であり、（ｂ）は、その正面図であり、（ｃ）は、その右側面図である。
【図５】（ａ）は、第３実施形態に係る吊り具を模式的に示す平面図であり、（ｂ）は、その正面図であり、（ｃ）は、その右側面図である。
【図６】（ａ）は、図５（ｂ）に示した吊り具のＣ−Ｃ線断面図であり、（ｂ）は、図５（ａ）に示した吊り具のＡ−Ａ線断面図であり、（ｃ）は、図５（ｂ）に示した吊り具のＢ−Ｂ線断面図である。
【図７】第３実施形態に係る吊り具において、Ｉ字状梁材と野縁とが直交するように設置する場合の設置方法を説明するための図である。
【図８】Ｉ字状梁材を模式的に示す斜視図である。
【図９】従来の吊り具の使用状態を模式的に示す縦断面図である。
【発明を実施するための形態】
【００１９】
以下、本発明の実施形態について図面を用いて説明する。
勿論、本発明は、以下の実施形態に限定されるものではなく、本発明の構成を充足する範囲内で、適宜設計変更を行うことが可能である。
【００２０】
［第１実施形態］
図１（ａ）は、第１実施形態に係る吊り具を模式的に示す平面図であり、図１（ｂ）は、その正面図であり、図１（ｃ）は、その右側面図である。
吊り具１０は、ナイロン製、ポリプロピレン製等の樹脂製であり、可撓性を有する板状の接続片１２と、接続片１２の両端に夫々１つ接続された挟み片１４（挟み片１４Ｌ、挟み片１４Ｒ）とを備える。
【００２１】
図１（ｂ）に示すように、挟み片１４Ｌは、接続片１２より上側に延びる本体部１６Ｌと、本体部１６Ｌの上側の先端から内側（図１（ｂ）中、右側）に延設された挟持部１７Ｌと、接続片１２より下側に延びる固定部２２Ｌとから構成されている。また、挟み片１４Ｒは、挟み片１４Ｌと左右対象の形状を有しており、接続片１２より上側に延びる本体部１６Ｒと、本体部１６Ｒの上側の先端から内側（図１（ｂ）中、左側）に延設された挟持部１７Ｒと固定部２２Ｒとから構成されている。
【００２２】
挟み片１４Ｌの挟持部１７Ｌと、挟み片１４Ｒの挟持部１７Ｒとの間には、隙間１８が設けられており、吊り具１０の中央上側には、接続片１２、挟み片１４Ｌ、及び、挟み片１４Ｒにより囲まれた空間２０が形成されている。隙間１８は、接続片１２を撓めることにより、広げたり狭めたりすることが可能であり、Ｉ字状梁材に吊り具１０を取り付ける際に、Ｉ字状梁材のウェブ部分を位置させることができる。また、空間２０には、Ｉ字状梁材のフランジ部分を位置させることができる。なお、本発明において、接続片を撓めない状態における挟持部間の隙間は、取り付けるＩ字状梁材の形状に応じて適宜変更可能である。また、本発明において、接続片及び挟み片により囲まれる空間の大きさや形状は、本発明の吊り具を取り付けるＩ字状梁材の形状に応じて適宜変更可能である。
【００２３】
吊り具１０の中央下側には、接続片１２、固定部２２Ｌ、及び、固定部２２Ｒにより下方を除く三方が囲まれた空間２４が形成されている。また、図１（ｃ）に示すように、固定部２２には、左右方向（図１（ｂ）における左右方向）に貫通したネジ止め用穴２６が各２箇所、高さ方向に段違いに形成されている。空間２４には、吊支する天井板を取り付けるための野縁を位置させることができる。そして、空間２４に野縁を位置させた状態で、ネジ止め用穴２６を介してネジ止めすることにより、吊り具１０を野縁に取り付けることができる。なお、ネジ止め用穴の位置や個数は、適宜変更可能である。
【００２４】
図１（ｂ）に示すように、固定部２２の外側面には、凹部２７が設けられている。凹部２７は、固定部２２Ｌと固定部２２Ｒとを手で摘んで内側に引き寄せる（挟持部１７Ｌと挟持部１７Ｒとの隙間１８を拡げる）際に、指をかけ易くするためのものである。
【００２５】
本体部１６（本体部１６Ｌ、本体部１６Ｒ）、挟持部１７（挟持部１７Ｌ、挟持部１７Ｒ）、及び、固定部２２（固定部２２Ｌ、固定部２２Ｒ）には、正面及び背面に格子状のリブ２８が設けられている。リブ２８が設けられているため、吊り具１０全体としての軽量化を図るとともに、強度を高くすることができる。
【００２６】
本発明において、接続片の厚さは特に限定されないが、手で固定部を摘んだ際に、容易に撓む程度の強度となるようにすればよい。
【００２７】
挟持部１７の下面には、防振弾性部材３１が貼着されている。防振弾性部材３１は、ポリプロピレンエラストマーで構成されており、表面には凹凸が設けられている。なお、本実施形態では、防振弾性部材がポリプロピレンエラストマーで構成されている場合について説明するが、本発明においてはこれに限定されず、例えば、天然ゴム（ＮＲ）やスチレンブタジエンゴム（ＳＢＲ）等を挙げることができる。また、本実施形態では、防振弾性部材３１の表面に凹凸が設けられている場合について説明するが、本発明において、防振弾性部材の表面は、凹凸が設けられていなくてもよい。
【００２８】
また、本実施形態では、挟持部１７の下面にのみ防振弾性部材３１が貼着されている場合について説明するが、本発明においては、挟持部の下面のみだけではなく、本体部の内側面や、接続片の上面にも貼着されていてもよい。すなわち、本発明において防振弾性部材は、吊り具の内壁面の全部又は一部、すなわち、挟持部の下面、本体部の内側面、及び、接続片の上面のうちの全部又は一部に設けられていてもよい。
本発明においては、本実施形態のように、防振弾性部材が吊り具の内壁面に設けられていることが望ましい。防振弾性部材が設けられていることにより、上の階の床面（Ｉ字状梁材よりも上部）からの振動を下の階の天井に伝播することを抑制することができるからである。ただし、本発明において防振弾性部材は、必ずしも設けられている必要はない。
【００２９】
次に、第１実施形態に係る吊り具１０の設置方法について説明する。
図２（ａ）、図２（ｂ）、図３（ａ）及び図３（ｂ）は、図１に示した吊り具の設置方法を説明するための図である。
まず、図２（ａ）に示すように、吊り具１０の固定部２２を手で摘んで力を加え、互いを内側に引き寄せることにより接続片１２を基点として撓ませ、挟持部１７間の隙間１８を拡げる。
【００３０】
次に、接続片１２を撓ませた状態で、空間２０にＩ字状梁材１２０のフランジ１２１が位置し、且つ、空間１８にＩ字状梁材１２０のウェブ１２２が位置するように配置した後、力を取り除く。これにより、Ｉ字状梁材１２０のフランジ１２１が挟持部１７により上下方向に挟持されることとなる（図２（ｂ）参照）。
【００３１】
次に、図３（ａ）に示すように、空間２４に野縁１２３を配置する。これにより、野縁１２３は、固定部２２Ｌ及び固定部２２Ｒにより両側面側から挟みこまれることとなる。なお、この時点で固定部２２を内側に引き寄せることはできなくなるため、フランジ１２１への挟持が堅持されることとなる。
【００３２】
次に、図３（ｂ）に示すように、ネジ止め用穴２６を介して吊り具１０と野縁１２３とをネジ３２によりネジ止めする。これにより、吊り具１０に野縁１２３が固定されることとなる。
【００３３】
このように、第１実施形態に係る吊り具１０によれば、Ｉ字状梁材１２０のフランジ１２１を挟持部１７により挟持し、その状態で固定部２２を野縁１２３に固定すると、フランジ１２０の挟持が堅持されることとなるため、薄いウェブ１２２にネジ止めを行ったり、水平方向に強度の弱いフランジ１２１にネジ止めを行わなくてもＩ字状梁材１２０に強固に取り付けることが可能となる。
また、Ｉ字状梁材１２０のフランジ１２１を挟持部１７により挟持し、その状態で固定部２２に野縁１２３を固定すると、フランジ１２１の挟持が堅持されることとなるため、野縁１２３の固定とフランジ１２１の堅持とが同時に実行されることとなり、作業性を向上させることが可能となる。
また、野縁１２３を、野縁１２３の両側面、すなわち、２つの面で挟みこんで固定することができるため、野縁１２３をより強固に固定することが可能となる。
【００３４】
［第２実施形態］
図４（ａ）は、第２実施形態に係る吊り具を模式的に示す平面図であり、図４（ｂ）は、その正面図であり、図４（ｃ）は、その右側面図である。
吊り具４０は、樹脂製であり、可撓性を有する板状の接続片４２と、接続片４２の両端に夫々１つ接続された挟み片４４（挟み片４４Ｌ、挟み片４４Ｒ）とを備える。
【００３５】
図４（ｂ）に示すように、挟み片４４Ｌは、接続片４２より上側に延びる本体部４６Ｌと、本体部４６Ｌの上側の先端から内側（図４（ｂ）中、右側）に延設された挟持部４７Ｌと、接続片４２より下側に延びる固定部５２Ｌとから構成されている。また、挟み片４４Ｒは、挟み片４４Ｌと左右対象の形状を有しており、接続片４２より上側に延びる本体部４６Ｒと、本体部４６Ｒの上側の先端から内側（図４（ｂ）中、左側）に延設された挟持部４７Ｒと、接続片４２より下側に延びる固定部５２Ｒとから構成されている。
【００３６】
挟み片４４Ｌの挟持部４７Ｌと、挟み片４４Ｒの挟持部４７Ｒとの間には、隙間４８が設けられており、吊り具４０の中央上側には、接続片４２、挟み片４４Ｌ、及び、挟み片４４Ｒにより囲まれた空間５０が形成されている。隙間４８は、接続片４２を撓めることにより、広げたり狭めたりすることが可能であり、Ｉ字状梁材に吊り具４０を取り付けた際に、Ｉ字状梁材のウェブ部分を位置させることができる。また、空間５０には、Ｉ字状梁材のフランジ部分を位置させることができる。
【００３７】
吊り具４０の中央下側には、接続片４２、固定部５２Ｌ、及び、固定部５２Ｒにより下方を除く三方が囲まれた空間５４が形成されている。また、図４（ｃ）に示すように、固定部５２には、左右方向（図４（ｂ）における左右方向）に貫通したネジ止め用穴５６が各２箇所、高さ方向に段違いに形成されている。空間５４には、吊支する天井板を取り付けるための野縁を位置させることができる。そして、空間５４に野縁を位置させた状態で、ネジ止め用穴５６を介してネジ止めすることにより、吊り具４０を野縁に取り付けることができる。
【００３８】
本体部４６（本体部４６Ｌ、本体部４６Ｒ）、挟持部４７（挟持部４７Ｌ、挟持部４７Ｒ）には、正面及び背面に格子状のリブ５８が設けられている。また、図４（ｃ）に示すように、固定部５２（固定部５２Ｌ、固定部５２Ｒ）の外側側面にも、格子状のリブ６０が設けられている。リブ５８及びリブ６０が設けられているため、吊り具４０全体としての軽量化を図るとともに、強度を高くすることができる。
【００３９】
なお、第２実施形態に係る吊り具４０の設置方法については、第１実施形態に係る吊り具１０と同様であるからここでの説明は省略する。
【００４０】
［第３実施形態］
図５（ａ）は、第３実施形態に係る吊り具を模式的に示す平面図であり、図５（ｂ）は、その正面図であり、図５（ｃ）は、その右側面図である。
図６（ａ）は、図５（ｂ）に示した吊り具のＣ−Ｃ線断面図であり、図６（ｂ）は、図５（ａ）に示した吊り具のＡ−Ａ線断面図であり、図６（ｃ）は、図５（ｂ）に示した吊り具のＢ−Ｂ線断面図である。
吊り具７０は、樹脂製であり、可撓性を有する板状の接続片７２と、接続片７２の両端に夫々１つ接続された挟み片７４（挟み片７４Ｌ、挟み片７４Ｒ）とを備える。
【００４１】
図５（ｂ）に示すように、挟み片７４Ｌは、接続片７２より上側に延びる本体部７６Ｌと、本体部７６Ｌの上側の先端から内側（図５（ｂ）中、右側）に延設された挟持部７７Ｌと、接続片７２より下側に延びる固定部８２Ｌとから構成されている。また、挟み片７４Ｒは、挟み片７４Ｌと左右対象の形状を有しており、接続片７２より上側に延びる本体部７６Ｒと、本体部７６Ｒの上側の先端から内側（図５（ｂ）中、左側）に延設された挟持部７７Ｒと、接続片７２より下側に延びる固定部８２Ｒとから構成されている。
【００４２】
図６（ｃ）に示すように、挟持部７７Ｌ及び挟持部７７Ｒの先端には、有底孔９２が設けられており、軽量化が図られている。
【００４３】
図５（ｂ）に示すように、挟み片７４Ｌの挟持部７７Ｌと、挟み片７４Ｒの挟持部７７Ｒとの間には、隙間７８が設けられており、吊り具７０の中央上側には、接続片７２、挟み片７４Ｌ、及び、挟み片７４Ｒにより囲まれた空間８０が形成されている。隙間７８は、接続片７２を撓めることにより、広げたり狭めたりすることが可能であり、Ｉ字状梁材に吊り具７０を取り付けた際に、Ｉ字状梁材のウェブ部分を位置させることができる。また、空間８０には、Ｉ字状梁材のフランジ部分を位置させることができる。
【００４４】
吊り具７０の中央下側には、接続片７２、固定部８２Ｌ、及び、固定部８２Ｒにより下方を除く三方が囲まれた空間８４が形成されている。また、図５（ｃ）に示すように、固定部８２には、左右方向（図５（ｂ）における左右方向）に貫通したネジ止め用穴８６が各２箇所、高さ方向に段違いに形成されている。空間８４には、吊支する天井板を取り付けるための野縁を位置させることができる。そして、空間８４に野縁を位置させた状態で、ネジ止め用穴８６を介してネジ止めすることにより、吊り具７０を野縁に取り付けることができる。
【００４５】
Ｉ字状梁材と野縁とが平行となるように設置する場合には、上述したネジ止め用穴８６を用いて、吊り具７０とＩ字状梁材及び野縁とを固定する。なお、Ｉ字状梁材と野縁とが平行となるように設置する場合における吊り具７０の設置方法については、図２及び図３を用いて説明した第１実施形態に係る吊り具１０と同様であるからここでの説明は省略する。一方、Ｉ字状梁材と野縁とが直交するように設置する場合には、以下に説明するネジ止め用穴９０を用いて、吊り具７０とＩ字状梁材及び野縁とを固定する。
【００４６】
図５（ｂ）に示すように、固定部８２には正面から背面に貫通したネジ止め用穴９０が形成されている。また、図５（ｃ）に示すように、吊り具７０の背面には、本体部７６と固定部８２との境界に段差部８９が設けられている。
【００４７】
図７は、第３実施形態に係る吊り具において、Ｉ字状梁材と野縁とが直交するように設置する場合の設置方法を説明するための図である。
Ｉ字状梁材１２０と野縁１２３とが直交するように吊り具７０を設置する場合、まず、平行に設置する場合と同様に空間８０（図５（ｂ）参照）にＩ字状梁材１２０のフランジ１２１部分を位置させる。次に、野縁１２３の一方側の側面に段差部８９（図５（ｃ）参照）を当接させた状態で、ネジ止め用穴９０を介してネジ９８によりネジ止めすることにより、吊り具７０を野縁１２３に取り付ける。これにより、Ｉ字状梁材１２０と野縁１２３とが直交するように設置されることとなる（図７参照）。
吊り具７０によれば、野縁１２３の一方側の側面における２箇所（固定部８２Ｌと当接する箇所、及び、固定部８２Ｒと当接する箇所）において固定することができるため、野縁１２３を吊り具７０により強固に固定することが可能となる。
【００４８】
このように、第３実施形態に係る吊り具７０は、Ｉ字状梁材１２０と野縁１２３とを平行するように設置することもでき、直交するようにも設置できる平行直交兼用タイプの吊り具である。
【００４９】
また、図５（ａ）、図５（ｃ）に示すように、本体部７６（本体部７６Ｌ、本体部７６Ｒ）、挟持部７７（挟持部７７Ｌ、挟持部７７Ｒ）、及び、固定部８２（固定部８２Ｌ、固定部８２Ｒ）の外側側面には、リブ８８が設けられている。リブ８８が設けられているため、吊り具７０全体としての軽量化を図るとともに、強度を高くすることができる。
【００５０】
以上、本発明に係る吊り具について説明したが、本発明の吊り具は、上述した例に限定されるものではなく、本発明の構成を充足する範囲内で、適宜設計変更を行うことが可能である。
【符号の説明】
【００５１】
１０、４０、７０  吊り具
１２、４２、７２  接続片
１４（１４Ｌ、１４Ｒ）、４４（４４Ｌ、４４Ｒ）、７４（７４Ｌ、７４Ｒ）  挟み片
１６（１６Ｌ、１６Ｒ）、４６（４６Ｌ、４６Ｒ）、７６（７６Ｌ、７６Ｒ）  本体部
１７（１７Ｌ、１７Ｒ）４７（４７Ｌ、４７Ｒ）、７７（７７Ｌ、７７Ｒ）  挟持部
１８、４８、７８  （挟み片間の）隙間
２０、５０、８０  （接続片、挟み片及び挟み片により囲まれた）空間
２２（２２Ｌ、２２Ｒ）、５２（５２Ｌ、５２Ｒ）、８２（８２Ｌ、８２Ｒ）  固定部
２４、５４、８４  （下方を除く三方が囲まれた）空間
２６、５６、８６  ネジ止め用穴
２７  凹部
３１  防振弾性部材
８９  段差部
９０  ネジ止め用穴
９２  有底孔
１２０  Ｉ字状梁材
１２１  フランジ
１２２  ウェブ
１２３  野縁
１２４  天井板
【図１】
2010163845.tif 000003
【図２】
2010163845.tif 000004
【図３】
2010163845.tif 000005
【図４】
2010163845.tif 000006
【図５】
2010163845.tif 000007
【図６】
2010163845.tif 000008
【図７】
2010163845.tif 000009
【図８】
2010163845.tif 000010
【図９】
2010163845.tif 000011